【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
第１のワイヤレスデバイスによって実行されるワイヤレス通信の方法であって、
第２のワイヤレスデバイスが共有無線周波数スペクトルへのアクセスを取得したという指示について、サブフレームの少なくとも１つの所定のシンボル期間を監視することと、
前記指示を検出したことに基づいて、前記共有無線周波数スペクトル上での前記第２のワイヤレスデバイスによる送信のための開始シンボル期間を複数の可能なシンボル期間の中で決定することと、
前記決定された開始シンボル期間に基づいて、前記共有無線周波数スペクトル上での前記第２のワイヤレスデバイスによる前記送信を受信することと
を備える、方法。
【請求項２】
前記開始シンボル期間の後に送信されたシンボル中で、前記第２のワイヤレスデバイスが前記共有無線周波数スペクトルへのアクセスを取得したという前記指示を検出すること
をさらに備える、請求項１に記載の方法。
【請求項３】
前記監視することが、複数の所定のシンボル期間を監視することを備え、前記方法は、  前記複数の所定のシンボル期間のうちの１つ中で、前記第２のワイヤレスデバイスが前記共有無線周波数スペクトルへのアクセスを取得したという前記指示を検出すること
をさらに備える、請求項１に記載の方法。
【請求項４】
前記サブフレームを備える無線フレームの持続時間に基づいて、前記サブフレームの前記少なくとも１つの所定のシンボル期間を識別すること
をさらに備える、請求項１に記載の方法。
【請求項５】
前記開始シンボル期間に基づいて、基準信号を監視するための少なくとも１つのシンボル期間、前記基準信号または制御チャネルを監視するための前記共有無線周波数スペクトルの少なくとも１つのリソース要素、前記第２のワイヤレスデバイスによる前記送信を受信するためのリソース要素アグリゲーションレベル、前記第２のワイヤレスデバイスによる前記送信を受信するためのトランスポートブロックスケーリング、前記第２のワイヤレスデバイスによって送信されるチャネル使用ビーコン信号（ＣＵＢＳ）の持続時間、前記ＣＵＢＳのコンテンツ、あるいは次のサブフレーム境界の前のシンボルの数のうちの少なくとも１つを決定すること
をさらに備える、請求項１に記載の方法。
【請求項６】
前記第２のワイヤレスデバイスによる前記送信の、無線フレームの１サブフレーム超に及ぶ仮想サブフレームへのマッピングを決定することをさらに備え、ここにおいて、前記第２のワイヤレスデバイスによる前記送信を受信することが、前記無線フレームの前記１サブフレーム超にわたる前記送信を受信することを備える、
請求項１に記載の方法。
【請求項７】
前記第２のワイヤレスデバイスによる前記送信の一部として基準信号を受信することをさらに備え、ここにおいて、前記基準信号を受信することのタイミングが、前記無線フレームのサブフレームのフォーマットによって決定される、
請求項６に記載の方法。
【請求項８】
ワイヤレス通信のための第１のワイヤレスデバイスであって、
第２のワイヤレスデバイスが共有無線周波数スペクトルへのアクセスを取得したという指示について、サブフレームの少なくとも１つの所定のシンボル期間を監視するための手段と、
前記指示を検出したことに基づいて、前記共有無線周波数スペクトル上での前記第２のワイヤレスデバイスによる送信のための開始シンボル期間を複数の可能なシンボル期間の中で決定するための手段と、
前記決定された開始シンボル期間に基づいて、前記共有無線周波数スペクトル上での前記第２のワイヤレスデバイスによる前記送信を受信するための手段と
を備える、第１のワイヤレスデバイス。
【請求項９】
第２のワイヤレスデバイスによって実行されるワイヤレス通信の方法であって、
共有無線周波数スペクトルへのアクセスを取得することと、
第１のワイヤレスデバイスに、およびサブフレームの所定のシンボル期間中で、前記第２のワイヤレスデバイスが前記共有無線周波数スペクトルへのアクセスを取得したという指示を送信することと、ここにおいて、前記指示が、前記第１のワイヤレスデバイスへの送信の開始シンボルを備える、複数の可能なシンボル期間の中の開始シンボル期間を伝達する、
前記示された開始シンボルに従って、前記共有無線周波数スペクトル上での前記第１のワイヤレスデバイスへの前記送信を開始することと
を備える、方法。
【請求項１０】
前記第１のワイヤレスデバイスへの前記送信が物理ダウンリンク制御チャネル（ＰＤＣＣＨ）を備え、前記方法が、
前記開始シンボル期間に基づいて、前記ＰＤＣＣＨのための送信電力を調整すること
をさらに備える、請求項９に記載の方法。
【請求項１１】
前記共有無線周波数スペクトルへのアクセスが取得されたという前記指示を送信する前に、前記第１のワイヤレスデバイスへの前記送信を開始すること
をさらに備える、請求項９に記載の方法。
【請求項１２】
前記シンボル期間が、前記第１のワイヤレスデバイスへの前記送信の前記開始シンボルを備える、請求項９に記載の方法。
【請求項１３】
前記開始シンボル期間に基づいて、基準信号を送信するために使用すべき少なくとも１つのシンボル期間、前記基準信号または制御チャネルを送信するために使用すべき前記共有無線周波数スペクトルの少なくとも１つのリソース要素、前記第１のワイヤレスデバイスへの前記送信のためのリソース要素アグリゲーションレベル、前記第１のワイヤレスデバイスへの前記送信のためのトランスポートブロックスケーリング、前記第１のワイヤレスデバイスへの送信のためのチャネル使用ビーコン信号（ＣＵＢＳ）の持続時間、前記ＣＵＢＳのコンテンツ、あるいは次のサブフレーム境界の前のシンボルの数のうちの少なくとも１つを決定すること
をさらに備える、請求項９に記載の方法。
【請求項１４】
前記第１のワイヤレスデバイスへの前記送信を、無線フレームの１サブフレーム超に及ぶ仮想サブフレームにマッピングすること
をさらに備える、請求項９に記載の方法。
【請求項１５】
ワイヤレス通信のための第２のワイヤレスデバイスであって、
共有無線周波数スペクトルへのアクセスを取得するための手段と、
第１のワイヤレスデバイスに、およびサブフレームの所定のシンボル期間中で、前記第２のワイヤレスデバイスが前記共有無線周波数スペクトルへのアクセスを取得したという指示を送信するための手段と、ここにおいて、前記指示が、前記第１のワイヤレスデバイスへの送信の開始シンボルを備える、複数の可能なシンボル期間の中の開始シンボル期間を伝達する、
前記示された開始シンボルに従って、前記共有無線周波数スペクトル上での前記第１のワイヤレスデバイスへの前記送信を開始するための手段と
を備える、第２のワイヤレスデバイス。
【手続補正２】
【補正対象書類名】明細書
【補正対象項目名】０２１０
【補正方法】変更
【補正の内容】
【０２１０】
[0233]本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に、本願の出願当初の特許請求の範囲に記載された発明を付記する。
［Ｃ１］
第１のワイヤレスデバイスによって、第２のワイヤレスデバイスが共有無線周波数スペクトルへのアクセスを取得したという指示について、サブフレームの少なくとも１つの所定のシンボル期間を監視することと、
前記指示を検出したことに基づいて、前記共有無線周波数スペクトル上での前記第２のワイヤレスデバイスによる送信のための開始シンボルを決定することと、
前記決定された開始シンボルに基づいて、前記共有無線周波数スペクトル上での前記第２のワイヤレスデバイスによる前記送信を受信することと
を備える、ワイヤレス通信の方法。
［Ｃ２］
前記開始シンボルの後に送信されたシンボル中で、前記第２のワイヤレスデバイスが前記共有無線周波数スペクトルへのアクセスを取得したという前記指示を検出すること
をさらに備える、Ｃ１に記載の方法。
［Ｃ３］
前記監視することが、複数の所定のシンボル期間を監視することを備え、前記方法は、  前記複数の所定のシンボル期間のうちの１つ中で、前記第２のワイヤレスデバイスが前記共有無線周波数スペクトルへのアクセスを取得したという前記指示を検出すること
をさらに備える、Ｃ１に記載の方法。
［Ｃ４］
前記少なくとも１つの所定のシンボル期間のうちの１つ中で、前記第２のワイヤレスデバイスが前記共有無線周波数スペクトルへのアクセスを取得したという前記指示を検出することをさらに備え、ここにおいて、前記開始シンボルを決定することは、
前記第２のワイヤレスデバイスが前記共有無線周波数スペクトルへのアクセスを取得したという前記指示が検出されたシンボル期間を占有するシンボルとして、前記開始シンボルを識別すること
を備える、
Ｃ１に記載の方法。
［Ｃ５］
前記サブフレームを備える無線フレームの持続時間に基づいて、前記サブフレームの前記少なくとも１つの所定のシンボル期間を識別すること
をさらに備える、Ｃ１に記載の方法。
［Ｃ６］
前記開始シンボルを備えるシンボル期間に基づいて、基準信号を監視するための少なくとも１つのシンボル期間、前記基準信号または制御チャネルを監視するための前記共有無線周波数スペクトルの少なくとも１つのリソース要素、前記第２のワイヤレスデバイスによる前記送信を受信するためのリソース要素アグリゲーションレベル、前記第２のワイヤレスデバイスによる前記送信を受信するためのトランスポートブロックスケーリング、前記第２のワイヤレスデバイスによって送信されるチャネル使用ビーコン信号（ＣＵＢＳ）の持続時間、前記ＣＵＢＳのコンテンツ、あるいは次のサブフレーム境界の前のシンボルの数のうちの少なくとも１つを決定すること
をさらに備える、Ｃ１に記載の方法。
［Ｃ７］
前記第２のワイヤレスデバイスによる前記送信の、無線フレームの１サブフレーム超に及ぶ仮想サブフレームへのマッピングを決定することをさらに備え、ここにおいて、前記第２のワイヤレスデバイスによる前記送信を受信することが、前記無線フレームの前記１サブフレーム超にわたる前記送信を受信することを備える、
Ｃ１に記載の方法。
［Ｃ８］
前記第２のワイヤレスデバイスによる前記送信の一部として基準信号を受信することをさらに備え、ここにおいて、前記基準信号を受信することのタイミングが、前記無線フレームのサブフレームのフォーマットによって決定される、
Ｃ７に記載の方法。
［Ｃ９］
第１のワイヤレスデバイスによって、第２のワイヤレスデバイスが共有無線周波数スペクトルへのアクセスを取得したという指示について、サブフレームの少なくとも１つの所定のシンボル期間を監視するための手段と、
前記指示を検出したことに基づいて、前記共有無線周波数スペクトル上での前記第２のワイヤレスデバイスによる送信のための開始シンボルを決定するための手段と、
前記決定された開始シンボルに基づいて、前記共有無線周波数スペクトル上での前記第２のワイヤレスデバイスによる前記送信を受信するための手段と
を備える、ワイヤレス通信のための装置。
［Ｃ１０］
前記開始シンボルの後に送信されたシンボル中で、前記第２のワイヤレスデバイスが前記共有無線周波数スペクトルへのアクセスを取得したという前記指示を検出するための手段
をさらに備える、Ｃ９に記載の装置。
［Ｃ１１］
監視するための前記手段が、複数の所定のシンボル期間を監視するための手段を備え、前記装置は、
前記複数の所定のシンボル期間のうちの１つ中で、前記第２のワイヤレスデバイスが前記共有無線周波数スペクトルへのアクセスを取得したという前記指示を検出するための手段
をさらに備える、Ｃ９に記載の装置。
［Ｃ１２］
前記少なくとも１つの所定のシンボル期間のうちの１つ中で、前記第２のワイヤレスデバイスが前記共有無線周波数スペクトルへのアクセスを取得したという前記指示を検出するための手段をさらに備え、ここにおいて、前記開始シンボルを決定するための前記手段は、
前記第２のワイヤレスデバイスが前記共有無線周波数スペクトルへのアクセスを取得したという前記指示が検出されたシンボル期間を占有するシンボルとして、前記開始シンボルを識別するための手段
を備える、
Ｃ９に記載の装置。
［Ｃ１３］
前記サブフレームを備える無線フレームの持続時間に基づいて、前記サブフレームの前記少なくとも１つの所定のシンボル期間を識別するための手段
をさらに備える、Ｃ９に記載の装置。
［Ｃ１４］
前記開始シンボルを備えるシンボル期間に基づいて、基準信号を監視するための少なくとも１つのシンボル期間、前記基準信号または制御チャネルを監視するための前記共有無線周波数スペクトルの少なくとも１つのリソース要素、前記第２のワイヤレスデバイスによる前記送信を受信するためのリソース要素アグリゲーションレベル、前記第２のワイヤレスデバイスによる前記送信を受信するためのトランスポートブロックスケーリング、前記第２のワイヤレスデバイスによって送信されるチャネル使用ビーコン信号（ＣＵＢＳ）の持続時間、前記ＣＵＢＳのコンテンツ、あるいは次のサブフレーム境界の前のシンボルの数のうちの少なくとも１つを決定するための手段
をさらに備える、Ｃ９に記載の装置。
［Ｃ１５］
前記第２のワイヤレスデバイスによる前記送信の、無線フレームの１サブフレーム超に及ぶ仮想サブフレームへのマッピングを決定するための手段をさらに備え、ここにおいて、前記第２のワイヤレスデバイスによる前記送信を受信することが、前記無線フレームの前記１サブフレーム超にわたる前記送信を受信することを備える、
Ｃ９に記載の装置。
［Ｃ１６］
前記第２のワイヤレスデバイスによる前記送信の一部として基準信号を受信するための手段をさらに備え、ここにおいて、前記基準信号を受信することのタイミングが、前記無線フレームのサブフレームのフォーマットによって決定される、
Ｃ９に記載の装置。
［Ｃ１７］
第２のワイヤレスデバイスにおいて共有無線周波数スペクトルへのアクセスを取得することと、
第１のワイヤレスデバイスに、およびサブフレームの所定のシンボル期間中で、前記第２のワイヤレスデバイスが前記共有無線周波数スペクトルへのアクセスを取得したという指示を送信することと、ここにおいて、前記指示が、前記第２のワイヤレスデバイスによる前記第１のワイヤレスデバイスへの送信の開始シンボルを備えるシンボル期間を伝達する、
前記示された開始シンボルに従って、前記共有無線周波数スペクトル上での前記第１のワイヤレスデバイスへの前記送信を開始することと
を備える、ワイヤレス通信の方法。
［Ｃ１８］
前記第１のワイヤレスデバイスへの前記送信が物理ダウンリンク制御チャネル（ＰＤＣＣＨ）を備え、前記方法が、
前記開始シンボルを備える前記シンボル期間に基づいて、前記ＰＤＣＣＨのための送信電力を調整すること
をさらに備える、Ｃ１７に記載の方法。
［Ｃ１９］
前記第２のワイヤレスデバイスが前記共有無線周波数スペクトルへのアクセスを取得したという前記指示を送信する前に、前記第１のワイヤレスデバイスへの前記送信を開始すること
をさらに備える、Ｃ１７に記載の方法。
［Ｃ２０］
前記所定のシンボル期間が、前記第１のワイヤレスデバイスへの前記送信の前記開始シンボルを備える、Ｃ１７に記載の方法。
［Ｃ２１］
前記開始シンボルを備える前記シンボル期間に基づいて、基準信号を送信するために使用すべき少なくとも１つのシンボル期間、前記基準信号または制御チャネルを送信するために使用すべき前記共有無線周波数スペクトルの少なくとも１つのリソース要素、前記第１のワイヤレスデバイスへの前記送信のためのリソース要素アグリゲーションレベル、前記第１のワイヤレスデバイスへの前記送信のためのトランスポートブロックスケーリング、前記第１のワイヤレスデバイスへの送信のためのチャネル使用ビーコン信号（ＣＵＢＳ）の持続時間、前記ＣＵＢＳのコンテンツ、あるいは次のサブフレーム境界の前のシンボルの数のうちの少なくとも１つを決定すること
をさらに備える、Ｃ１７に記載の方法。
［Ｃ２２］
前記第１のワイヤレスデバイスへの前記送信を、無線フレームの１サブフレーム超に及ぶ仮想サブフレームにマッピングすること
をさらに備える、Ｃ１７に記載の方法。
［Ｃ２３］
前記第１のワイヤレスデバイスに前記仮想サブフレームを送信することをさらに備え、前記仮想サブフレームが、前記無線フレームのサブフレームのフォーマットによって決定されるタイミングを有する基準信号を備える、
Ｃ２２に記載の方法。
［Ｃ２４］
第２のワイヤレスデバイスにおいて共有無線周波数スペクトルへのアクセスを取得するための手段と、
第１のワイヤレスデバイスに、およびサブフレームの所定のシンボル期間中で、前記第２のワイヤレスデバイスが前記共有無線周波数スペクトルへのアクセスを取得したという指示を送信するための手段と、ここにおいて、前記指示が、前記第２のワイヤレスデバイスによる前記第１のワイヤレスデバイスへの送信の開始シンボルを備えるシンボル期間を伝達する、
前記示された開始シンボルに従って、前記共有無線周波数スペクトル上での前記第１のワイヤレスデバイスへの前記送信を開始するための手段と
を備える、ワイヤレス通信のための装置。
［Ｃ２５］
前記第１のワイヤレスデバイスへの前記送信が物理アップリンク制御チャネル（ＰＵＣＣＨ）を備え、前記装置が、
前記開始シンボルを備える前記シンボル期間に基づいて、前記ＰＵＣＣＨのための送信電力を調整するための手段
をさらに備える、Ｃ２４に記載の装置。
［Ｃ２６］
前記第２のワイヤレスデバイスが前記共有無線周波数スペクトルへのアクセスを取得したという前記指示を送信する前に、前記第１のワイヤレスデバイスへの前記送信を開始するための手段
をさらに備える、Ｃ２４に記載の装置。
［Ｃ２７］
前記所定のシンボル期間が、前記第１のワイヤレスデバイスへの前記送信の前記開始シンボルを備える、Ｃ２４に記載の装置。
［Ｃ２８］
前記開始シンボルを備える前記シンボル期間に基づいて、基準信号を送信するために使用すべき少なくとも１つのシンボル期間、前記基準信号または制御チャネルを送信するために使用すべき前記共有無線周波数スペクトルの少なくとも１つのリソース要素、前記第１のワイヤレスデバイスへの前記送信のためのリソース要素アグリゲーションレベル、前記第１のワイヤレスデバイスへの前記送信のためのトランスポートブロックスケーリング、前記第１のワイヤレスデバイスへの送信のためのチャネル使用ビーコン信号（ＣＵＢＳ）の持続時間、前記ＣＵＢＳのコンテンツ、あるいは次のサブフレーム境界の前のシンボルの数のうちの少なくとも１つを決定するための手段
をさらに備える、Ｃ２４に記載の装置。
［Ｃ２９］
前記第１のワイヤレスデバイスへの前記送信を、無線フレームの１サブフレーム超に及ぶ仮想サブフレームにマッピングするための手段
をさらに備える、Ｃ２４に記載の装置。
［Ｃ３０］
前記第１のワイヤレスデバイスに前記仮想サブフレームを送信するための手段をさらに備え、前記仮想サブフレームが、前記無線フレームのサブフレームのフォーマットによって決定されるタイミングを有する基準信号を備える、
Ｃ２４に記載の装置。